(57)【特許請求の範囲】
【請求項１】
透光部を有した筐体と、
前記筐体の内面に設けられた制御部品と、
前記筐体の前記内面に設けられるとともに、前記制御部品に制御されて前記透光部に向けて光を照射する第１の発光ダイオードと、
前記筐体の前記内面に設けられるとともに、前記制御部品と前記第１の発光ダイオードとを接続した配線と、
を具備したテレビ。
【請求項２】
前記配線は、導電性接着剤で形成された請求項１に記載のテレビ。
【請求項３】
前記筐体の前記内面に設けられるとともに、前記制御部品に制御されて前記透光部に向けて光を照射する第２の発光ダイオードと、
前記第１の発光ダイオードから前記透光部に至る第１の経路と、前記第２の発光ダイオードから前記透光部に至る第２の経路と、を仕切るように前記筐体から突出した第２のリブと、
を具備したことを特徴とする請求項２に記載のテレビ。
【請求項４】
透光部を有した筐体と、
前記筐体の内側に向けて前記筐体から突出した第１のリブと、
前記第１のリブの表面に設けられた制御部品と、
前記第１のリブの表面に設けられるとともに、前記制御部品に制御されて前記透光部に向けて光を照射する第１の発光ダイオードと、
前記第１のリブの表面に設けられるとともに、前記制御部品と前記第１の発光ダイオードとを接続した配線と、
を具備したテレビ。
【請求項５】
前記配線は、導電性接着剤で形成された請求項４に記載のテレビ。
【請求項６】
前記第１のリブの表面に設けられるとともに、前記制御部品に制御されて前記透光部に向けて光を照射する第２の発光ダイオードと、
前記第１の発光ダイオードから前記透光部に至る第１の経路と、前記第２の発光ダイオードから前記透光部に至る第２の経路と、を仕切るように前記筐体から突出した第２のリブと、
を具備したことを特徴とする請求項５に記載のテレビ。
【請求項７】
透光部を有した筐体と、
前記筐体の内側に向けて前記筐体から突出した第１のリブと、
前記筐体の内面に設けられた制御部品と、
前記第１のリブの表面に設けられるとともに、前記制御部品に制御されて前記透光部に向けて光を照射する第１の発光ダイオードと、
前記筐体の内面および前記第１のリブの表面に設けられるとともに、前記制御部品と前記第１の発光ダイオードとを接続した配線と、
を具備したテレビ。
【請求項８】
前記配線は、導電性接着剤で形成された請求項７に記載のテレビ。
【請求項９】
前記第１のリブの表面に設けられるとともに、前記制御部品に制御されて前記透光部に向けて光を照射する第２の発光ダイオードと、
前記第１の発光ダイオードから前記透光部に至る第１の経路と、前記第２の発光ダイオードから前記透光部に至る第２の経路と、を仕切るように前記筐体から突出した第２のリブと、
を具備したことを特徴とする請求項８に記載のテレビ。
【請求項１０】
透光部を有した筐体と、
前記筐体の内面に設けられた制御部品と、
前記筐体の前記内面に設けられるとともに、前記制御部品に制御されて前記透光部に向けて光を照射する第１の発光ダイオードと、
前記筐体の前記内面に設けられるとともに、前記制御部品と前記第１の発光ダイオードとを接続した配線と、
を具備した電子機器。
【請求項１１】
透光部を有した筐体と、
前記筐体の内側に向けて前記筐体から突出した第１のリブと、
前記第１のリブの表面に設けられた制御部品と、
前記第１のリブの表面に設けられるとともに、前記制御部品に制御されて前記透光部に向けて光を照射する第１の発光ダイオードと、
前記第１のリブの表面に設けられるとともに、前記制御部品と前記第１の発光ダイオードとを接続した配線と、
を具備した電子機器。
【発明の詳細な説明】
【技術分野】
【０００１】
本発明の実施形態は、表示パネルを有した薄型のテレビに関する。
【背景技術】
【０００２】
例えば、テレビ等の電子機器において、ＬＥＤ等のランプを用いた状態表示部を設けて、電源オン、オフなどの電子機器の状態を示すことがしばしば行われる。また、このような状態表示部は、内蔵する光ディスクドライブが作動している際などにも、ランプを点灯させてその作動状態をユーザに知らせるためにも用いられる。
【先行技術文献】
【特許文献】
【０００３】
【特許文献１】特開２００２−１６２５５０号公報
【発明の概要】
【発明が解決しようとする課題】
【０００４】
このように、状態表示部は、テレビ等の電子機器で多数の機種に採用される基本的な構造である。このため、当該状態表示部については、例えば、低コスト化などに関する改良のニーズが常に存在している。
【０００５】
本発明は、状態表示部を改良したテレビを提供することを目的とする。
【課題を解決するための手段】
【０００６】
実施形態のテレビは、透光部を有した筐体と、前記筐体の内面に設けられた制御部品と、前記筐体の前記内面に設けられるとともに、前記制御部品に制御されて前記透光部に向けて光を照射する第１の発光ダイオードと、前記筐体の前記内面に設けられるとともに、前記制御部品と前記第１の発光ダイオードとを接続した配線と、を具備した。
【図面の簡単な説明】
【０００７】
【図１】第１の実施形態にかかる電子機器の一例であるテレビを示した正面図。
【図２】図１に示すテレビの状態表示部周りを拡大して示した斜視図。
【図３】図２に示す状態表示部の第１の発光ダイオード、制御部品、第２のリブの高さを示した斜視図。
【図４】第２の実施形態にかかる電子機器の一例であるテレビの状態表示部周りを拡大して示した斜視図。
【図５】第３の実施形態にかかる電子機器の一例であるテレビの状態表示部周りを拡大して示した斜視図。
【図６】第４の実施形態にかかる電子機器の一例であるポータブルコンピュータを示した斜視図。
【図７】図６に示すポータブルコンピュータの状態表示部周りを拡大して示した斜視図。
【発明を実施するための形態】
【０００８】
以下、図１から図３を参照して、電子機器の一例であるテレビの実施形態について説明する。図１に示すように、本実施形態にかかるテレビ１１は、長方形の外観を有した薄型の表示装置である。図１と図２に示すように、テレビ１１は、例えば、表示パネル１２と、表示パネル１２を支持するスタンド１３（脚部）と、表示パネル１２の前方を覆った枠状のマスク１４と、表示パネル１２の背面を覆ったカバー１５と、マスク１４の一箇所に設けられた状態表示部１６と、表示パネル１２に接続されてテレビ１１全体を統括制御するシステム基板１７と、チューナ基板１８と、電源回路１９と、を備えている。システム基板１７、チューナ基板１８、および電源回路１９は、それぞれ表示パネル１２の裏面に固定されている。マスク１４およびカバー１５によって、テレビ１１の外殻となる筐体２２が構成されている。
【０００９】
表示パネル１２は、本実施形態では、方形板状の液晶パネルで構成されている。表示パネル１２は、例えばプラズマディスプレイパネル、有機ＥＬパネル等の他の種類のディスプレイパネルで構成されていてもよい。また、本実施形態のテレビ１１には、その中央部に背骨となるフレーム等が設けられておらず、表示パネル１２自体が起立姿勢を維持するための強度部材として機能する。
【００１０】
状態表示部１６は、発光ダイオード（ＬＥＤ）のランプを点灯したり消灯したりして、例えば電源のオン・オフの状態等をユーザに報知するために用いられる。状態表示部１６は、例えば、マスク１４の下端に設けられている。図２に示すように、状態表示部１６は、マスク１４の一部に透明に設けられた透光部２３と、マスク１４の内面に設けられた制御部品２４と、マスク１４の内面に設けられた第１の発光ダイオード２５および第２の発光ダイオード２６と、マスク１４の内面に設けられた第１の配線２７および第２の配線２８と、第１の発光ダイオード２５と第２の発光ダイオード２６との間を仕切るようにマスク１４内面から突出した第２のリブ３１と、マスク１４の内面に設けられたコネクタ３２と、を有している。
【００１１】
透光部２３は、第１の発光ダイオード２５に対応した第１のレンズ３３と、第２の発光ダイオード２６に対応した第２のレンズ３４と、を有している。第１のレンズ３３および第２のレンズ３４は、透明であり、それぞれカバー１５を貫通するように設けられている。
【００１２】
制御部品２４は、第１の発光ダイオード２５および第２の発光ダイオード２６の点灯および消灯を直接制御する素子である。なお、本実施形態では、制御部品２４が１個で代表されているが、これに限定されるものではなく、制御部品２４が複数であってもよい。制御部品２４は、マスク１４の内面に絶縁性の接着剤等で固定されている。
【００１３】
第１の発光ダイオード２５および第２の発光ダイオード２６は、いわゆる側面発光型の発光ダイオードであり、マスク１４の内面に絶縁性の接着剤等で固定されている。第１の発光ダイオード２５および第２の発光ダイオード２６は、制御部品２４に制御されて透光部２３に向けて光を照射することができる。第１の発光ダイオード２５は、例えば、テレビ１１の電源がオンとなっている際に点灯し、電源がオフとなっているときに消灯する。また、第２の発光ダイオード２６は、例えば、内蔵する光ディスクドライブが作動する際に点灯し、光ディスクドライブが作動していないときに消灯する。
【００１４】
第２のリブ３１は、マスク１４の内面から筐体２２の内側に向けて突出しており、マスク１４と一体に成形されている。第２のリブ３１は、第１の発光ダイオード２５から透光部２３に至る第１の経路３５と、第２の発光ダイオード２６から透光部２３に至る第２の経路３６と、を仕切っている。
【００１５】
図３に示すように、第２のリブ３１の高さａは、制御部品２４の高さｂよりも高くなっている。同様に、第２のリブ３１の高さａは、第１の発光ダイオード２５および第２の発光ダイオード２６の高さｃよりも高くなっている。このため、第１の発光ダイオード２５および第２の発光ダイオード２６のいずれか一方から照射された光が、それらの他方に向けて照射され、光漏れを生じてしまうことが防止される。
【００１６】
図２に示すように、コネクタ３２は、例えば、フレキシブルケーブル３７等を介してシステム基板１７と接続されており、システム基板１７から例えば電力の供給を受けることができる。第２の配線２８は、コネクタ３２と制御部品２４とを接続している。コネクタ３２は、マスク１４の内面に絶縁性の接着剤等で固定されている。
【００１７】
第１の配線２７は、制御部品２４と第１の発光ダイオード２５との間、および制御部品２４と第２の発光ダイオード２６との間、をそれぞれ接続している。第２の配線２８は、制御部品２４とコネクタ３２とを接続している。第１の配線２７および第２の配線２８は、マスク１４の内面に所定のパターンで塗布された導電性接着剤で形成されている。すなわち、第１の配線２７および第２の配線２８は、マスク１４の内面に対して密着している。
【００１８】
第１の配線２７および第２の配線２８となる導電性接着剤の塗布は、例えば、ロボット型のディスペンサ等によってなされる。また、導電性接着剤の塗布は、手動タイプのディスペンサによって行ってもよい。
【００１９】
本実施形態の状態表示部１６の製造工程について説明する。まず、ディスペンサ等によってマスク１４の内面に対して導電性接着剤を塗布して、第１の配線２７および第２の配線２８を形成する。同様に、制御部品２４、第１の発光ダイオード２５、第２の発光ダイオード２６、およびコネクタ３２が実装されるマスク１４上の位置にも、予め導電性のない絶縁性の接着剤をディスペンサ等で塗布しておく。
【００２０】
そして、マスク１４上の所定の位置に制御部品２４、第１の発光ダイオード２５、および第２の発光ダイオード２６を実装する。このとき、導電性接着剤の硬化前に制御部品２４、第１の発光ダイオード２５、第２の発光ダイオード２６、およびコネクタ３２の実装を行って、制御部品２４、第１の発光ダイオード２５、第２の発光ダイオード２６、およびコネクタ３２と、導電性接着剤との間の電気的な接続を確保するようにする。また絶縁性の接着剤によって、制御部品２４とマスク１４との間、第１の発光ダイオード２５とマスク１４との間、第２の発光ダイオード２６とマスク１４との間、およびコネクタ３２とマスク１４との間、の物理的な固定を確保する。
【００２１】
なお、状態表示部１６の製造工程はこれに限定されるものではなく、例えば、制御部品２４、第１の発光ダイオード２５、第２の発光ダイオード２６、およびコネクタ３２をマスク１４上の所定の位置に絶縁性の接着剤等で固定した後に、ディスペンサ等を用いて導電性接着剤を塗布して、第１の配線２７および第２の配線２８を形成してもよい。
【００２２】
第１の実施形態によれば、テレビ１１は、透光部２３を有した筐体２２と、筐体２２の内面に設けられた制御部品２４と、筐体２２の内面に設けられるとともに、制御部品２４に制御されて透光部２３に向けて光を照射する第１の発光ダイオード２５と、筐体２２の内面に設けられるとともに、制御部品２４と第１の発光ダイオード２５とを接続した配線と、を具備した。この構成によれば、第１の発光ダイオード２５および制御部品２４を実装するためのプリント配線板が不要となり、筐体２２の内面に直接これらを実装することができるため、製造コストを削減することができる。また、プリント配線板の厚み寸法分だけ、筐体２２を小型化することができる。
【００２３】
また、プリント配線板を用いた実装の場合、プリント配線板の筐体２２への固定には、通常ねじを使用することが多い。この場合には、プリント配線板に設けられたねじ孔の公差および筐体２２のねじ孔の公差などによって、プリント配線板の設置位置がずれることがある。そのような場合には、第１の発光ダイオード２５および第２の発光ダイオード２６の位置がずれて、透光部２３を介して第１の発光ダイオード２５および第２の発光ダイオード２６から光を視認しにくくなる事態を生ずる。
【００２４】
本実施形態によれば、プリント配線板を用いない構造であるため、第１の発光ダイオード２５および第２の発光ダイオード２６の取り付け位置の精度を向上できる。また、制御部品２４および第１の発光ダイオード２５の電気的接続部に半田を使用せず、導電性接着剤が使用されるため、半田を溶融する目的で例えば２６０℃程度の熱履歴がこれらの部品に加えられるということがない。これにより、制御部品２４および第１の発光ダイオード２５に熱履歴による性能劣化を生じる可能性を低減できる。また同様の理由から、制御部品２４および第１の発光ダイオード２５の耐熱性の条件を緩和することが可能となり、低コスト部品の採用が可能となる。これによって、より一層の製造コスト削減を図ることができる。
【００２５】
また、テレビ１１は、筐体２２の内面に設けられるとともに、制御部品２４に制御されて透光部２３に向けて光を照射する第２の発光ダイオード２６と、第１の発光ダイオード２５から透光部２３に至る第１の経路３５と第２の発光ダイオード２６から透光部２３に至る第２の経路３６とを仕切るように筐体２２から突出した第２のリブ３１と、を具備する。この構成によれば、筐体２２から突出した第２のリブ３１によって第１の経路３５と第２の経路３６との間が仕切られるため、第１の発光ダイオード２５からの光が第２の発光ダイオード２６のある方向に漏れてしまう事態を防止できる。
【００２６】
また、上記構成によれば、第１の発光ダイオード２５と第２の発光ダイオード２６との間を仕切り、且つこれらの周囲を覆って光漏れを防止するための樹脂製のシェードを別途に必要としない。このため、部品点数を削減することができる。なお近年、発光ダイオードの周辺構造が小型化しているため、シェードの成形が難しくなりコストアップを生じていた。上記構成によれば、シェードを省略して低コスト化できるだけでなく、シェードを貼り付ける工程も省略できるため、これらの点で特に有用である。
【００２７】
続いて、図４を参照して、電子機器の第２の実施形態について説明する。第２の実施形態の電子機器の一例であるテレビ１１は、主要な構成において第１の実施形態と概ね共通している。このため、主として第１の実施形態と異なる部分について説明し、共通する箇所については共通の符号を付して説明を省略する。
【００２８】
第２の実施形態の状態表示部１６は、マスク１４から突出した第１のリブ３０と、マスク１４の一部に透明に設けられた透光部２３と、第１のリブ３０の表面に設けられた制御部品２４と、第１のリブ３０の表面に設けられた第１の発光ダイオード２５および第２の発光ダイオード２６と、第１のリブ３０の表面に設けられた第１の配線２７および第２の配線２８と、第１の発光ダイオード２５と第２の発光ダイオード２６との間を仕切るようにマスク１４内面から突出した第２のリブ３１と、マスク１４の内面に設けられたコネクタ３２と、を有している。透光部２３は、一対に設けられており、マスク１４を貫通した透明なレンズ３３、３４を一対に有している。なお、コネクタ３２は、第１のリブ３０の表面に設けられていてもよい。
【００２９】
第１の配線２７および第２の配線２８は、マスク１４の内面に所定のパターンで塗布された導電性接着剤で形成されている。第２の配線２８の一部は、第１のリブ３０の表面だけでなく、マスク１４の内面にも設けられている。
【００３０】
制御部品２４は、第１のリブ３０の表面に固定されている。第１の発光ダイオード２５および第２の発光ダイオード２６は、制御部品２４に制御されて透光部２３に向けて光を照射することができる。第１の発光ダイオード２５および第２の発光ダイオード２６は、第１のリブ３０の表面に固定されている。
【００３１】
第１のリブ３０は、筐体２２の内側に向けてマスク１４の内面から突出しており、マスク１４と一体に成形されている。第２のリブ３１は、第１の発光ダイオード２５から透光部２３に至る第１の経路３５と、第２の発光ダイオード２６から透光部２３に至る第２の経路３６と、を仕切っている。第１の発光ダイオード２５および第２の発光ダイオード２６は、いずれもいわゆる上面発光型の発光ダイオードである。第１の発光ダイオード２５および第２の発光ダイオード２６の周囲は、第１のリブ３０および第２のリブ３１によって囲まれており、第１の発光ダイオード２５および第２の発光ダイオード２６からの光漏れがより一層防止される。
【００３２】
第２の実施形態によれば、テレビ１１は、透光部２３を有した筐体２２と、筐体２２の内側に向けて筐体２２から突出した第１のリブ３０と、第１のリブ３０の表面に設けられた制御部品２４と、第１のリブ３０の表面に設けられるとともに、制御部品２４に制御されて透光部２３に向けて光を照射する第１の発光ダイオード２５と、第１のリブ３０の表面に設けられるとともに、制御部品２４と第１の発光ダイオード２５とを接続した配線と、を具備する。
【００３３】
この構成によれば、制御部品２４、第１の発光ダイオード２５、および配線のいずれも第１のリブ３０の表面に設けられるため、例えばユーザの手・指などによって筐体２２に対して押圧（応力）が加えられた際にも、配線の破断や、制御部品２４および第１の発光ダイオード２５の接点の破損、制御部品２４と配線との間の電気的接続部および第１の発光ダイオード２５と配線との間の電気的接続部の破断、等を生ずることがなく、第１の発光ダイオード２５の信頼性を向上することができる。
【００３４】
続いて、図５を参照して、電子機器の第３の実施形態について説明する。第３の実施形態の電子機器の一例であるテレビ１１は、主要な構成において第１の実施形態と概ね共通している。このため、主として第１の実施形態と異なる部分について説明し、共通する箇所については共通の符号を付して説明を省略する。
【００３５】
状態表示部１６は、マスク１４から突出した第１のリブ３０と、マスク１４の一部に透明に設けられた透光部２３と、マスク１４の内面に設けられた制御部品２４と、第１のリブ３０の表面に設けられた第１の発光ダイオード２５および第２の発光ダイオード２６と、マスク１４の内面と第１のリブ３０の表面とに跨って設けられた第１の配線２７および第２の配線２８と、第１の発光ダイオード２５と第２の発光ダイオード２６との間を仕切るようにマスク１４の内面から突出した第２のリブ３１と、マスク１４の内面に設けられたコネクタ３２と、を有している。透光部２３は、一対に設けられており、マスク１４を貫通した透明なレンズ３３、３４を一対に有している。
【００３６】
第１のリブ３０は、筐体２２の内側に向けてマスク１４の内面から突出しており、マスク１４と一体に成形されている。第１の発光ダイオード２５および第２の発光ダイオード２６は、いずれもいわゆる上面発光型の発光ダイオードである。制御部品２４は、マスク１４の内面に固定されている。第１の発光ダイオード２５および第２の発光ダイオード２６は、第１のリブ３０の表面に固定されている。第１の発光ダイオード２５および第２の発光ダイオード２６は、制御部品２４に制御されて透光部２３に向けて光を照射することができる。
【００３７】
第１の配線２７および第２の配線２８は、マスク１４の内面に所定のパターンで塗布された導電性接着剤で形成されている。第２のリブ３１は、第１の発光ダイオード２５から透光部２３に至る第１の経路３５と、第２の発光ダイオード２６から透光部２３に至る第２の経路３６と、を仕切っている。
【００３８】
第３の実施形態によれば、テレビ１１は、透光部２３を有した筐体２２と、筐体２２の内側に向けて筐体２２から突出した第１のリブ３０と、筐体２２の内面に設けられた制御部品２４と、第１のリブ３０の表面に設けられるとともに、制御部品２４に制御されて透光部２３に向けて光を照射する第１の発光ダイオード２５と、筐体２２の内面および第１のリブ３０の表面に設けられるとともに、制御部品２４と第１の発光ダイオード２５とを接続した配線と、を具備する。この構成によれば、第１の発光ダイオード２５を第１のリブ３０の表面に設けることで、筐体２２に対して押圧（応力）が加えられた際にも、第１の発光ダイオード２５の接点の破損等を防止できる。また、制御部品２４については、筐体２２の内面に設けることで、第２の実施形態のように第１のリブ３０に第１の発光ダイオード２５と制御部品２４との両方を設置する場合に比して、第１のリブ３０の高さ寸法ｈを低減することができる。これによって、第１の発光ダイオード２５、制御部品２４の設置に必要なスペースを小さくして、これらの高密度な実装を実現することができる。なお、上述のように、第１のリブ３０の高さ寸法ｈを低減できるため、例えば、厚み寸法の低減が重要となる機器、例えば、ポータブルコンピュータなどに対して、本実施形態の構造を好適に採用できる。
【００３９】
図６、図７を参照して、電子機器の第４の実施形態について説明する。第４の実施形態の電子機器の一例であるポータブルコンピュータ４１は、外観において第１の実施形態と異なっているが、第１の発光ダイオード２５周辺の主要な構成において第１の実施形態と概ね共通している。このため、主として第１の実施形態と異なる部分について説明し、共通する箇所については共通の符号を付して説明を省略する。なお、以下の実施形態では、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００４０】
図６に示すように、ポータブルコンピュータ４１は、同図中の前方向に位置した第１のユニット４２と、同図中の後方向に位置した第２のユニット４３と、第１のユニット４２と第２のユニット４３との間に位置するとともに、これらを回転可能に連結したヒンジユニット４４と、を具備している。
【００４１】
第１のユニット４２は、第１のケース４５と、第１のケース４５に取り付けられた第１のタッチパネル４６と、第１のタッチパネル４６の下方で第１のケース４５の内側に設けられた第１のディスプレイ４７と、を有している。第１のディスプレイ４７は、例えば、液晶ディスプレイで構成されており、第１のタッチパネル４６に隣接した位置に設けられている。また、第１のユニット４２は、第１のタッチパネル４６を間に挟んだ両側に一対の操作ボタン４８を有している。
【００４２】
図６に示すように、第２のユニット４３は、第２のケース５１と、第２のケース５１に取り付けられた第２のタッチパネル５２と、第２のタッチパネル５２の下方で第２のケース５１の内側に設けられた第２のディスプレイ５３と、を有している。図６に示すように、第２のケース５１は、第２のタッチパネル５２の前方を覆っている枠状のマスク１４と、第２のディスプレイ５３の背面を覆っているカバー１５と、を含んでいる。第１のケース４５と第２のケース５１とによって、ポータブルコンピュータ４１の外殻となる筐体２２が構成されている。第２のユニット４３は、さらに、ＣＰＵ等が実装されたシステム基板１７と、ポータブルコンピュータ４１の作動状態をユーザに表示するための状態表示部１６と、を有している。
【００４３】
状態表示部１６は、発光ダイオード（ＬＥＤ）のランプを点灯したり消灯したりして、例えば電源のオン・オフの状態や、無線ＬＡＮで通信を行っている状態等をユーザに報知するために用いられる。図７に示すように、状態表示部１６は、カバー１５の一部に透明に設けられた透光部２３と、カバー１５の内面に設けられた制御部品２４と、カバー１５の内面に設けられた第１の発光ダイオード２５および第２の発光ダイオード２６と、カバー１５の内面に設けられた第１の配線２７および第２の配線２８と、第１の発光ダイオード２５と第２の発光ダイオード２６との間を仕切るようにカバー１５内面から突出した第２のリブ３１と、カバー１５の内面に設けられたコネクタ３２と、を有している。透光部２３は、第１の発光ダイオード２５に対応した第１のレンズ３３と、第２の発光ダイオード２６に対応した第２のレンズ３４と、を有している。第１のレンズ３３および第２のレンズ３４は、透明であり、それぞれカバー１５を貫通している。
【００４４】
制御部品２４は、第１の発光ダイオード２５および第２の発光ダイオード２６の発光を直接制御する素子である。なお、本実施形態では、制御部品２４が一つで代表されているが、これに限定されるものではなく、制御部品２４が複数であってもよい。第１の発光ダイオード２５および第２の発光ダイオード２６は、いわゆる側面発光型の発光ダイオードである。
【００４５】
第１の発光ダイオード２５は、例えば、電源がオンとなっている際に点灯し、電源がオフとなっているときに消灯する。また、第２の発光ダイオード２６は、例えば、無線ＬＡＮで通信される際に点灯し、無線ＬＡＮによる通信がされていないときに消灯する。なお、第１の発光ダイオード２５および第２の発光ダイオード２６の使用用途としてはこれに限られず、例えば、内蔵するハードディスクドライブや光ディスクドライブが作動中や、異常の発生時にこれらを点灯させたり、点滅させたりしてもよい。
【００４６】
第２のリブ３１は、マスク１４の内面から筐体２２の内側に向けて突出しており、カバー１５と一体に成形されている。第２のリブ３１は、第１の発光ダイオード２５から透光部２３に至る第１の経路３５と、第２の発光ダイオード２６から透光部２３に至る第２の経路３６と、を仕切っている。
【００４７】
図７と図３に示すように、第２のリブ３１の高さは、制御部品２４の高さよりも高くなっている。同様に、第２のリブ３１の高さは、第１の発光ダイオード２５および第２の発光ダイオード２６の高さよりも高くなっている。
【００４８】
コネクタ３２は、例えば、フレキシブルケーブル３７等を介してシステム基板１７から電力の供給を受けることができる。第２の配線２８は、コネクタ３２と制御部品２４とを接続している。コネクタ３２は、第２の配線２８を介して制御部品２４と接続されている。
【００４９】
第１の配線２７は、制御部品２４と第１の発光ダイオード２５との間、および制御部品２４と第２の発光ダイオード２６との間、をそれぞれ接続している。第１の配線２７および第２の配線２８は、導電性接着剤をマスク１４の内面に所定のパターンで塗布して形成されている。第１の配線２７および第２の配線２８となる導電性接着剤の塗布は、例えば、ロボット型のディスペンサ等によってなされる。
【００５０】
第４の実施形態によれば、第１の発光ダイオード２５および制御部品２４を実装するためのプリント配線板が不要となり、筐体２２の内面に直接にこれらを実装することができるため、製造コストを削減することができる。また、プリント配線板の厚み寸法分だけ筐体２２を薄型化することができ、筐体２２を薄型化が重要なポータブルコンピュータ等に特に有用である。また、プリント配線板に設けるねじ孔の公差等の影響がなく、透光部２３に対して第１の発光ダイオード２５および第２の発光ダイオード２６の位置の精度を向上できる。なお、状態表示部１６については、第２の実施形態や第３の実施形態と同様の構造を適用してもよい。
【００５１】
電子機器は、上記実施形態に示したテレビ１１、ポータブルコンピュータ４１に限定されるものではなく、携帯電話機、書籍や画像等を電子的に表示する電子ブックリーダーのようなその他の電子機器に対しても当然に実施可能である。また、上記各実施形態では、第１の配線２７および第２の配線２８を導電性接着剤で構成しているが、これに限定されるものではない。第１の配線２７および第２の配線２８は、例えば、金属のペーストを筐体に印刷して形成した導体パターンによって形成されていてもよい。
【００５２】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００５３】
筐体…２２、透光部…２３、制御部品…２４、第１の発光ダイオード…２５、第２の発光ダイオード…２６、第１の配線…２７、第１のリブ…３０、第２のリブ…３１、第１の経路…３５、第２の経路…３６
【要約】
【課題】  状態表示部を改良したテレビを提供する。
【解決手段】  テレビは、透光部を有した筐体と、前記筐体の内面に設けられた制御部品と、前記筐体の前記内面に設けられるとともに、前記制御部品に制御されて前記透光部に向けて光を照射する第１の発光ダイオードと、前記筐体の前記内面に設けられるとともに、前記制御部品と前記第１の発光ダイオードとを接続した配線と、を具備した。
【選択図】図２【図１】
0004843730.tif 000002
【図２】
0004843730.tif 000003
【図３】
0004843730.tif 000004
【図４】
0004843730.tif 000005
【図５】
0004843730.tif 000006
【図６】
0004843730.tif 000007
【図７】
0004843730.tif 000008